(57)【要約】  ＳＧＳＮ３０が、切断検出部によって移動機１０との無線接続が切断されたことを検出した際に、受信部が移動機１０に対するデータを受信すると、中継可否判断部は、通信種別判断部によって判断された通信の種別によって当該データの中継を行うか否かを判断し、判断に応じてデータの中継を行う。これにより、ＳＩＰにおける通話通信のような通信の種別ではデータの中継が停止できるため、移動機１０に不要なデータが送信されることがなくなり、無線通信のリソースの消費を低減することが可能となる。
2011093499.tif 000002
【特許請求の範囲】
【請求項１】
移動体通信網に含まれて、移動機に送信されるデータを中継するデータ中継装置であって、
前記移動機が行っている通信の種別を判断する通信種別判断手段と、
前記移動機が通信中に当該移動機と前記移動体通信網との間の無線接続が切断されたことを検出する切断検出手段と、
前記移動機に対するデータを受信する受信手段と、
前記切断検出手段によって前記無線接続が切断されたことを検出した際に前記受信手段によって前記移動機に対するデータを受信すると、前記通信種別判断手段によって判断された前記通信の種別によって当該データの中継を行うか否かを判断する中継可否判断手段と、を備えるデータ中継装置。
【請求項２】
前記中継可否判断手段は、前記切断検出手段によって前記無線接続が切断されたことを検出した際に前記受信手段が受信する前記移動機に対するデータと、前記通信種別判断手段によって判断された前記通信の種別と、によって当該データの中継を行うか否かを判断することを特徴とする請求項１に記載のデータ中継装置。
【請求項３】
移動体通信網に含まれて、移動機に送信されるデータを中継するデータ中継装置におけるデータ中継方法であって、
前記移動機が行っている通信の種別を判断する通信種別判断ステップと、
前記移動機が通信中に当該移動機と前記移動体通信網との間の無線接続が切断されたことを検出する切断検出ステップと、
前記移動機に対するデータを受信する受信ステップと、
前記切断検出ステップにおいて前記無線接続が切断されたことを検出した際に前記受信ステップにおいて前記移動機に対するデータを受信すると、前記通信種別判断ステップにおいて判断された前記通信の種別によって当該データの中継を行うか否かを判断する中継可否判断ステップと、を備えるデータ中継方法。
【発明の詳細な説明】
【技術分野】
【０００１】
本発明は、移動体通信網に接続された移動機に送信されるデータを中継するデータ中継装置及びデータ中継方法に関する。
【背景技術】
【０００２】
従来、移動機が移動体通信網を介して通信を行う通信システムとして、例えば特許文献１に記載されたものがある。この通信システムは、ネットワークと移動機との通信を制御するデータ中継装置（ＳＧＳＮ）と、移動機とデータ中継装置との間の通信経路上に設置され、移動機と無線によって通信を行う無線制御装置とを含んで構成されている。また、この通信システムは、ＳＩＰ（Ｓｅｓｓｉｏｎ  Ｉｎｉｔｉａｔｅｄ  Ｐｒｏｔｏｃｏｌ）を用いて通信の接続が行われており、呼制御によって通信のセッションを確立させて移動機間で情報データ（通話データ等）の送受信が行われている。
【先行技術文献】
【特許文献】
【０００３】
【特許文献１】特開２００９−１４００９０号公報
【発明の概要】
【発明が解決しようとする課題】
【０００４】
ところで、従来の通信システムでは、例えば、移動機Ａと移動機ＢとがＳＩＰを用いて通話通信を行っているときに、移動機Ａが通信圏外になるなど、移動機Ａと無線制御装置との間の無線通信が切断されることがある。この場合には、呼制御を行うＳＩＰ制御装置側が通信相手側の移動機Ｂに対して無線通信の切断を通知している。なお、ＳＩＰ制御装置側では、移動機Ａから通話データの送信がされているかどうかを監視する無通信監視処理を行うことにより、通信が切断されているか否かを判断している。移動機Ｂは、通信の切断の通知を受信すると、移動機Ａへの通話データの送信を停止し、通信を終了する。【０００５】
移動機Ａと無線制御装置との無線通信が切断されてから、通信相手側の移動機Ｂに無線通信の切断の通知が行われるまでの間、移動機Ｂは圏外状態となった移動機Ａへ向けて通話データを送信し続ける。このとき、データ中継装置は、通信圏外となった移動機Ａとの再接続処理を実施し、通信の復帰を試みる。この状態で、無線通信が切断されていた移動機Ａが再び在圏状態となると、データ中継装置は再び在圏状態となった移動機Ａに対して、先ほど通信を行っていた移動機Ｂが送信する通話データ（移動機Ａが通信圏外のときに、移動機Ｂがデータ中継装置に送信した通話データを含む）を送信する。【０００６】
しかしながら、ＳＩＰによる通話通信では、通信が切断された移動機Ａは、切断前に行われていた呼情報（通信のセッションに関する情報）を削除している。このため、移動機Ａにとって、再び在圏状態となった後でデータ中継装置から送信されてくる通話データは、送信元等がわからない不要な通話データであり、これらの通話データを破棄していた。このように、従来の通信システムでは、通話通信のために確立された通信等は、無線通信が切断された以降に移動機に届いたデータは破棄されるにもかかわらず、このデータを送信するために無線制御装置と移動機との間での無線通信を確立する構成であるため、無線通信のリソースが無駄に消費されるといった問題がある。【０００７】
そこで本発明は、無線通信の無駄なリソースの消費を低減することができるデータ中継装置及びデータ中継方法を提供することを目的とする。
【課題を解決するための手段】
【０００８】
本発明は、移動体通信網に含まれて、移動機に送信されるデータを中継するデータ中継装置であって、前記移動機が行っている通信の種別を判断する通信種別判断手段と、前記移動機が通信中に当該移動機と前記移動体通信網との間の無線接続が切断されたことを検出する切断検出手段と、前記移動機に対するデータを受信する受信手段と、前記切断検出手段によって前記無線接続が切断されたことを検出した際に前記受信手段によって前記移動機に対するデータを受信すると、前記通信種別判断手段によって判断された前記通信の種別によって当該データの中継を行うか否かを判断する中継可否判断手段と、を備えることを特徴とする。【０００９】
また、本発明は、移動体通信網に含まれて、移動機に送信されるデータを中継するデータ中継装置におけるデータ中継方法であって、前記移動機が行っている通信の種別を判断する通信種別判断ステップと、前記移動機が通信中に当該移動機と前記移動体通信網との間の無線接続が切断されたことを検出する切断検出ステップと、前記移動機に対するデータを受信する受信ステップと、前記切断検出ステップにおいて前記無線接続が切断されたことを検出した際に前記受信ステップにおいて前記移動機に対するデータを受信すると、前記通信種別判断ステップにおいて判断された前記通信の種別によって当該データの中継を行うか否かを判断する中継可否判断ステップと、を備えることを特徴とする。【００１０】
この発明にあっては、データ中継装置が、通信中に無線接続が切断されたことを検出した際に移動機に対するデータを受信すると、通信の種別によって当該データの中継を行うか否かを判断し、判断に応じてデータの中継を行う。これにより、ＳＩＰにおける通話通信のような通信の種別ではデータの中継が停止できるため、移動機に不要なデータが送信されることがなくなり、無線通信の無駄なリソースの消費を低減することが可能となる。【００１１】
また、前記中継可否判断手段は、前記切断検出手段によって前記無線接続が切断されたことを検出した際に前記受信手段が受信する前記移動機に対するデータと、前記通信種別判断手段によって判断された前記通信の種別と、によって当該データの中継を行うか否かを判断することが好適である。【００１２】
これにより、データ中継装置が、受信手段によって受信された移動機に対するデータも考慮して当該データの中継を行うか否かを判断することができる。このため、データに応じて適切に中継を行うことが可能となる。
【発明の効果】
【００１３】
本発明によれば、無線通信の無駄なリソースの消費を低減することができるデータ中継装置及びデータ中継方法を提供できる。
【図面の簡単な説明】
【００１４】
【図１】通信システムの全体構成を示す図である。
【図２】ＳＩＰによる通信接続が確立されるまでの信号の流れを示す図である。
【図３】ＳＧＳＮのハードウェア構成図である。
【図４】中継可否判断処理の流れを示すフローチャートである。
【図５】各ノード間でのデータの流れを示す図である。
【発明を実施するための形態】
【００１５】
以下、図面を参照しつつ本発明に係るデータ中継装置及びデータ中継方法を適用した通信システムの好適な実施形態について詳細に説明する。なお、図面の説明において同一の要素には同一の符号を付し、重複する説明を省略する。
【００１６】
（通信システム１の全体構成）
実施形態に係る通信システム１の全体構成について説明する。図１は、通信システムの全体構成を示す図である。ここで、図１に示す通信システム１は、ＧＰＲＳ（Ｇｅｎｅｒａｌ  Ｐａｃｋｅｔ  Ｒａｄｉｏ  Ｓｅｒｖｉｃｅ）によるデータ通信が行われる。そのため、通信システム１は、ＳＧＳＮ（Ｓｅｒｖｉｎｇ  ＧＰＲＳ  Ｓｕｐｐｏｒｔ  Ｎｏｄｅ）３０と、無線制御装置２０とを含んで構成される。この無線制御装置２０とＳＧＳＮ３０とを含んで移動体通信網としてのＧＰＲＳ網（ＩＰ−ＣＡＮ）５０が構成されている。また、通信システム１は、ＧＰＲＳ網５０に接続される移動機１０及びＧＰＲＳ網５０とは異なるＮＷ（ネットワーク）４０を含んで構成される。なお、移動機１０と通信を行う相手としてＮＷ４０を例に説明するが、ＮＷ４０以外にも他の移動機であってもよい。また、移動機１０とＮＷ４０とが接続されるとは、移動機１０とＮＷ４０を介して別の通信装置（例えば、メディアサーバ、別の移動機等）とが通信接続されることを指す。
【００１７】
無線制御装置２０は、移動機１０とＧＰＲＳ網５０との無線通信を制御するものであり、無線制御装置２０が管理する図示しない基地局と移動機１０との間で無線接続が行われている。また、無線制御装置２０は、ＳＧＳＮ３０から送信されたデータを無線通信によって移動機１０に送信し、移動機１０から無線通信によって送信されたデータをＳＧＳＮ３０に送信するものである。また、無線制御装置２０は、移動機１０との無線通信が通信品質の劣化などによって切断されると、それを検出して無線通信が切断されたことを示す通信切断信号をＳＧＳＮ３０に送信する。この際、移動機１０とＳＧＳＮ３０はＧＰＲＳのＰＤＰ（Ｐａｃｋｅｔ  Ｄａｔａ  Ｐｒｏｔｏｃｏｌ）情報は維持しているが（ＧＰＲＳによって確立されたＩＰ通信路は維持するが）、無線部分だけを解放しているＰｒｅｓｅｒｖａｔｉｏｎ状態となる。
【００１８】
ＳＧＳＮ３０は、移動機１０とＮＷ４０との間で送受信されるデータを中継するデータ中継装置として機能するものである。ＳＧＳＮ３０は、ＮＷ４０及び移動機１０から送信されたデータを受信する受信部３２（受信手段）と、受信部３２によって受信されたデータを移動機１０又はＮＷ４０へ送信する通信制御部３１と、移動機１０が行っている通信の種別を判断する通信種別判断部３３（通信種別判断手段）と、を含んで構成される。なおＳＧＳＮ３０は、移動機１０の位置登録時に移動機１０の加入者情報を取得している。通信制御部３１は、この加入者情報も考慮してデータの送信を行っている。
【００１９】
さらに、ＳＧＳＮ３０は、移動機１０が通信中に当該移動機１０とＧＰＲＳ網５０との間の無線接続が切断されたことを検出する切断検出部３４（切断検出手段）と、切断検出部３４によって無線接続が切断されたことを検出した際に受信部３２によって移動機１０に対するデータを受信すると、通信種別判断部３３によって判断された通信の種別によって当該データの中継を行うか否かを判断する中継可否判断部３５（中継可否判断手段）と、を含んで構成されている。
【００２０】
通信種別判断部３３は、移動機１０とＮＷ４０間で確立される通信の種別（呼種別）を通信毎に判断し、通信毎に通信の種別を対応付けて記憶するものである。なお、通信の種別とは、当該通信（通信路、呼）で送信されるデータの性質を示すものである。また、移動機１０は、例えば通話通信とストリーミングの２つの通信を同時に行っている場合があり、この場合には、各通信毎に通信の種別（通話通信，ストリーミング）を対応付けて記憶している。また、通信の種別の具体的な判断方法として、通信種別判断部３３は、移動機１０とＮＷ４０の通信開始時に、ＧＰＲＳによるＩＰ通信路を確立する際の信号に基づいて通信の種別を判断するものである。
【００２１】
ここで、ＧＰＲＳによるＩＰ通信路を確立する処理の流れについて説明する。ここでは、移動機１０とＮＷ４０とを、ＳＩＰを用いて通信を確立させるものとする。図２は、移動機１０とＮＷ４０との間でＳＩＰによる通信接続が確立されるまでの信号の流れを示す図である。
【００２２】
ステップＳ１０１において移動機１０は、ＳＧＳＮ３０に対して通信の開始を要求する「ＳＭ＿Ａｃｔｉｖａｔｅ  ＰＤＰ  Ｃｏｎｔｅｘｔ  Ｒｅｑｕｅｓｔ」を無線制御装置２０を介して送信する。ステップＳ１０２においてＳＧＳＮ３０は、「ＲＡＮＡＰ＿ＲＡＢ  Ａｓｓｉｇｎｍｅｎｔ  Ｒｅｑｕｅｓｔ（無線アクセスベアラ割当要求）」を無線制御装置２０へ送信する。ステップＳ１０３において無線制御装置２０は、「ＲＡＮＡＰ＿ＲＡＢ  Ａｓｓｉｇｎｍｅｎｔ  Ｒｅｓｐｏｎｓｅ（無線アクセスベアラ割当応答）をＳＧＳＮ３０へ送信する。ステップＳ１０４においてＳＧＳＮ３０は、通信の開始の要求を許可する「ＳＭ＿Ａｃｔｉｖａｔｅ  ＰＤＰ  Ｃｏｎｔｅｘｔ  Ａｃｃｅｐｔ」を無線制御装置２０を介して移動機１０へ送信する。ステップＳ１０５において移動機１０は、自身を登録するための「ＳＩＰ＿Ｒｅｇｉｓｔｅｒ」を図示しないＳＩＰ制御装置に送信し、ＳＩＰによる通信接続が確立できるようになる。
【００２３】
ここで、ステップＳ１０１において、移動機１０がＳＧＳＮ３０に対して送信する「ＳＭ＿Ａｃｔｉｖａｔｅ  ＰＤＰ  Ｃｏｎｔｅｘｔ  Ｒｅｑｕｅｓｔ」には、ＡＰＮ（Ａｃｃｅｓｓ  Ｐｏｉｎｔ  Ｎａｍｅ）が含まれている。ＡＰＮとは、通信装置をネットワークに接続するときのアクセスポイントの名称である。また、通信種別判断部３３は、ＡＰＮと通信の種別とが対応付けされた対応情報を予め記憶している。通信種別判断部３３は、対応情報と、「ＳＭ＿Ａｃｔｉｖａｔｅ  ＰＤＰ  Ｃｏｎｔｅｘｔ  Ｒｅｑｕｅｓｔ」に含まれるＡＰＮとより、通信の種別を判断し、記憶するものである。なお、本実施形態では、ＡＰＮと通信の種別とが１対１で対応付く場合について説明したが、例えば、１つのＡＰＮに対して複数の通信の種別とが対応付く場合がある。この場合には、通信の接続の確立の際に送受信される信号のうち、ＡＰＮ以外の情報に基づいて、通信の種別を判断することができる。
【００２４】
通信制御部３１は、受信部３２がデータを受信すると、受信したデータがどの通信装置のどの通信で送受信されるデータであるかを特定し、特定した通信を通じて特定した送信先へデータを送信する。本実施形態において通信制御部３１は、移動機１０とＮＷ４０との間で送受信されるデータであると特定し、移動機１０とＮＷ４０との間のどの通信であるかを特定する。移動機１０とＮＷ４０間との間で特定された通信を通じて、通信制御部３１は受信部３２で受信されたデータを移動機１０又はＮＷ４０へ送信する。この通信の特定は、従来から行われているように、まず、受信したデータに基づき、受信したデータのＧＴＰ（ＧＰＲＳ  Ｔｕｎｎｅｌｌｉｎｇ  Ｐｒｏｔｏｃｏｌ）ヘッダ部のＴＥＩＤ（Ｔｕｎｎｅｌ  Ｅｎｄｐｏｉｎｔ  ＩＤｅｎｔｉｆｉｅｒ）から、どの移動機のどの通信で送受信されるデータであるかを特定することができる。
【００２５】
また、通信制御部３１は、詳しくは後述するが、中継可否判断部３５から、ある通信で送受信されるデータの中継を停止する旨の指示を受けると、中継の停止指示があったデータについて移動機１０への送信を停止する。また、通信制御部３１は、中継の停止指示があったデータを破棄する。
【００２６】
切断検出部３４は、無線制御装置２０から通信切断信号が送信されているか否かに基づいて、移動機１０とＧＰＲＳ網５０との間の無線接続が切断されたことを検出するものである。
【００２７】
中継可否判断部３５は、切断検出部３４によって無線通信が切断されたことが検出されると、受信部３２が受信した移動機１０宛のデータの中継を行うか否かを判断し、中継を行わない場合には通信制御部３１に対して中継を停止する旨の指示を行う。なお、無線通信が切断された通信は通信制御部３１によって特定されているため、中継可否判断部３５は、この通信制御部３１によって特定された通信と、通信種別判断部３３に記憶されている通信毎に通信の種別が対応付けられた情報とに基づいて、無線通信が切断された通信の種別を把握することができる。また、中継可否判断部３５は、通信の種別と中継を行うか否かとが対応付けされた通信種別対応情報を予め記憶している。このため、中継可否判断部３５は、この通信種別対応情報と、把握した通信の種別とに基づいて、データの中継を行うか否かを判断することができる。
【００２８】
ここで、通信の種別として、例えば、通話通信やＴＶ電話通信等で用いられる「Ｃｏｎｖｅｒｓａｔｉｏｎａｌ」（リアルタイム双方向通信）、例えば、ストリーミングや放送等で用いられる「Ｓｔｒｅａｍｉｎｇ」（リアルタイム一方向通信）、例えば、Ｗｅｂブラウジング等で用いられる「Ｉｎｔｅｒａｃｔｉｖｅ」（双方向通信）等がある。また、その他の通信として、例えば、データダウンロード、ｅ−ｍａｉｌ、テレメトリ等で用いられる「Ｂａｃｋｇｒｏｕｎｄ」がある。本実施形態において、中継可否判断部３５は、通信の種別が、通話通信等の「Ｃｏｎｖｅｒｓａｔｉｏｎａｌ」である場合、無線通信の切断後に通信の再確立を行って移動機１０にデータを送信したとしても、これらのデータを移動機１０が破棄してしまうため、データの中継を行わないものとして判断する。反対に、中継可否判断部３５は、通信種別が「Ｃｏｎｖｅｒｓａｔｉｏｎａｌ」以外の場合、通信を再確立させる処理を実行してデータの中継を行うものとして判断する。
【００２９】
更に、中継可否判断部３５は、通信の種別が中継を行わないものであった場合、更にデータの内容に基づいてデータの中継を行うか否かを判断する。ここで、中継可否判断部３５は、データの内容と中継を行うか否かとが対応付けされたデータ種別対応情報を予め記憶している。このため、中継可否判断部３５は、受信部３２によって受信されたデータの内容（データの種類、性質）を参照し、データ種別対応情報に基づいて、データの中継を行うか否かを判断する。
【００３０】
具体的には、中継可否判断部３５は、データの内容が、例えばＳＩＰの接続に関する信号など新たな接続を行うためのデータ（制御データ、Ｃ−Ｐｌａｎｅデータ）である場合、新たな接続を確立するために、データの中継を行うものとして判断する。反対に、中継可否判断部３５は、データの内容が、例えば音声などのメディアに関するデータ（ユーザデータ、Ｕ−Ｐｌａｎｅデータ）である場合、無線通信の切断後に通信の再確立を行って移動機１０にデータを送信したとしても、これらのデータを移動機１０が破棄してしまうため、データの中継を行わないものとして判断する。なお、例えば、ＳＩＰによる通信において、制御信号はＳＩＰによって通知され、音声などのメディアに関するデータはＲＴＰ（Ｒｅａｌ−Ｔｉｍｅ  Ｔｒａｎｓｐｏｒｔ  Ｐｒｏｔｏｃｏｌ）／ＲＴＣＰ（ＲＴＰ  Ｃｏｎｔｒｏｌ  Ｐｒｏｔｏｃｏｌ）で送受信されている。これにより、データに応じて適切に中継を行うことができる。また、データの内容が、通信の接続等に関するデータであり中継を行うか否かを判断する方法として、例えば、中継の判断対象となるデータ（パケット）のＩＰレイヤのヘッダから判断したり、ＩＰパケットの内部、つまりＵＤＰ（Ｕｓｅｒ  Ｄａｔａｇｒａｍ  Ｐｒｏｔｏｃｏｌ）レイヤやＴＣＰ（Ｔｒａｎｓｍｉｓｓｉｏｎ  Ｃｏｎｔｒｏｌ  Ｐｒｏｔｏｃｏｌ）レイヤから判断する、或いは、ＲＴＰヘッダの有無から判断する方法がある。本実施形態では、ＩＰレイヤのＤＳＣＰ（Ｄｉｆｆｅｒｅｎｔｉａｔｅｄ  Ｓｅｒｖｉｃｅｓ  Ｃｏｄｅ  Ｐｏｉｎｔ）フィールドから判断するものとする。
【００３１】
ここで、ＳＧＳＮ３０のハードウェア構成について説明する。図３は、ＳＧＳＮ３０のハードウェア構成図である。ＳＧＳＮ３０は、物理的には、図３に示すように、ＣＰＵ２５１、主記憶装置であるＲＡＭ２５２及びＲＯＭ２５３、ハードディスク等の補助記憶装置２５４、ネットワークカード等のデータ送受信デバイスである通信インタフェース２５５などを含むコンピュータシステムとして構成されている。上述したＳＧＳＮ３０の各機能は、図３に示すＣＰＵ２５１、ＲＡＭ２５２等のハードウェア上に所定のコンピュータソフトウェアを読み込ませることにより、ＣＰＵ２５１の制御のもとで通信インタフェース２５５を動作させて通信を行うとともに、ＲＡＭ２５２や補助記憶装置２５４におけるデータの読み出し及び書き込みを行うことで実現される。
【００３２】
（中継可否判断処理の手順）
次に、中継可否判断部３５が、ＮＷ４０から送信されたデータを移動機１０へ中継するか否かの判断処理の流れについて説明する。図４は、ＳＧＳＮ３０に移動機１０宛のデータが届いたときに行われる中継可否判断処理の流れを示すフローチャートである。なお、図４に示す中継可否判断処理は、ＳＧＳＮ３０によってデータの中継が行われている間は常に実行されているものである。また、データは、パケット毎にＳＧＳＮ３０に届くものとする。
【００３３】
ステップＳ２０１（受信ステップ）において受信部３２は、ＮＷ４０から送信されたデータを受信する。ステップＳ２０２において通信制御部３１は、受信部３２が受信したデータが、上述したように、どの通信装置のどの通信で送受信されるデータであるかを特定する。ここでは、移動機１０へ送信されるべきデータを、受信部３２が受信したものとする。
【００３４】
ステップＳ２０３において切断検出部３４は、ステップＳ２０１で受信したデータを送信するために使用する無線通信（ここでは、移動機１０と無線制御装置２０との間の無線通信となる）が切断されているか否かの判断を行う。具体的には、切断検出部３４は、上述したように、無線制御装置２０から通信切断信号を受信したか否かを判断する。通信切断信号を受信していない、即ち無線通信が切断されていない場合（ステップＳ２０３：ＮＯ）、ステップＳ２０７の処理へ進む。一方、通信切断信号を受信した場合（ステップＳ２０３：ＹＥＳ）、無線通信が切断されたものと判断し、ステップＳ２０４の処理へ進む。
【００３５】
ステップＳ２０４（中継可否判断ステップ）において中継可否判断部３５は、無線通信が切断された通信の種別が、中継の停止対象であるかどうかを判断する。具体的には、中継可否判断部３５は、通信種別判断部３３に記憶された情報（通信毎に対応付けされた通信の種別の情報）と、ステップＳ２０２で特定された移動機１０の通信とより、通信の種別を判断する。そして、中継可否判断部３５は、この通信の種別と、予め記憶している通信の種別と中継を行うか否かとが対応付けされた通信種別対応情報と、に基づいて、中継の停止対象であるかどうかを判断する。通信の種別が中継停止対象でない場合（ステップＳ２０４：ＮＯ）、ステップＳ２０８の処理へ進む。一方、通信種別が中継停止対象である場合（ステップＳ２０４：ＹＥＳ）、ステップＳ２０５の処理へ進む。
【００３６】
ステップＳ２０５（中継可否判断ステップ）において中継可否判断部３５は、更に、受信部３２で受信されたデータの内容に基づいて当該データが中継停止対象であるか否かを判断する。具体的には、中継可否判断部３５は、上述したように、データの内容と中継を行うか否かとが対応付けされたデータ種別対応情報に基づいて、受信部３２によって受信されたデータを移動機１０へ送信するか否かを判断する。データ内容が中継停止対象でない場合（ステップＳ２０５：ＮＯ）、ステップＳ２０８の処理へ進む。一方、データ内容が中継停止対象である場合（ステップＳ２０５：ＹＥＳ）、ステップＳ２０６の処理へ進む。
【００３７】
ステップＳ２０６において中継可否判断部３５は、通信制御部３１に当該データの送信を停止する旨の指示を行い、当該データを破棄させる。データの破棄後、ステップＳ２０１へ戻り上述の処理を繰り返す。
【００３８】
また、ステップＳ２０３において無線通信が切断されていないと判断された場合、ステップＳ２０７において通信制御部３１は、当該データを、ステップＳ２０１で特定した通信を通じて移動機１０へ送信する。
【００３９】
また、ステップＳ２０４及びステップＳ２０５において中継停止対象でないと判断された場合、ステップＳ２０８において通信制御部３１は、移動機１０と無線通信の再接続を行い、無線通信が確立したときに当該データを移動機１０へ送信する。具体的には再接続は、従来と同様に、例えばページング信号を移動機１０に送信すること等により行われる。
【００４０】
これにより、無線通信が切断されたときに受信部３２が受信したデータが、当該データの通信の種別が例えば通話通信等の「Ｃｏｎｖｅｒｓａｔｉｏｎａｌ」であり、データの内容が通話データである場合、このデータは移動機１０へ送信されずに破棄される。また、通信の種別が例えばストリーミング等の「Ｓｔｒｅａｍｉｎｇ」である場合には、このデータは移動機１０と再接続を行うことにより送信される。また、通信の種別が中継停止対象であったとしても、このデータの内容が例えば通信の接続等に関するデータである場合には、このデータは移動機１０と再接続を行うことにより送信される。
【００４１】
（データの中継が停止された場合の各ノード間のデータの流れ）
次に、無線通信の切断後にＳＧＳＮ３０によってデータの中継が停止される場合、即ち、無線通信の切断後に再接続が行われない場合における各ノード間のデータの流れについて説明する。図５は、各ノード間のデータの流れを示す図である。また、ここでは、通信の種別としてＳＩＰによる通話通信が確立されているものとする。
【００４２】
通信が開始されて移動機１０とＮＷ４０との間で接続要求信号等が送受信されると、ステップＳ３０１に示すように移動機１０とＮＷ４０との間でＳＩＰによる通話通信が確立される。この通信通話が確立するときに、図２を用いて説明したように、ＳＧＳＮ３０の通信種別判断部３３は、移動機１０とＮＷ４０間での通信の種別を判断する（通信種別判断ステップ）。これにより、ステップＳ３０１以降において、移動機１０とＮＷ４０との間でＳＧＳＮ３０が通話データの中継を行うことにより、移動機１０とＮＷ４０との通話が可能となる。
【００４３】
ステップＳ３０２で移動機１０と無線制御装置２０との間の無線通信が切断されると、ステップＳ３０４において無線制御装置２０は、無通信監視処理等によって無線通信の切断を検出する。また、移動機１０は、ステップＳ３０２で無線通信が切断されると、通信状態等よりステップＳ３０３において無線通信の切断を検出する。更に、移動機１０は、無線通信の切断を検出すると無線通信によるデータの送信を停止し、ＳＩＰにおける呼情報等を削除して通話通信を終了する。
【００４４】
無線制御装置２０は、無線通信の切断を検出すると、ステップＳ３０５において無線通信の切断を示す通信切断信号としての「Ｉｕ  Ｒｅｌｅａｓｅ  Ｒｅｑｕｅｓｔ」をＳＧＳＮ３０へ送信する。ＳＧＳＮ３０の切断検出部３４は、「Ｉｕ  Ｒｅｌｅａｓｅ  Ｒｅｑｕｅｓｔ」を受信すると、ステップＳ３０６において移動機１０と無線制御装置２０との無線通信が切断されたと判断する（切断検出ステップ）。ＳＧＳＮ３０は、無線通信が切断されたと判断すると、通信の種別やデータの内容に基づいて、データを移動機１０へ送信するか否かを判断する。なお、ここでは、データの送信が停止されたものとする。これによりＳＧＳＮ３０は、無線通信が切断されているときに受信した移動機１０宛のデータを破棄する。なお、図４を用いて説明した移動機１０へデータを中継するか否かの判断処理は、図５のステップＳ３０１において通話通信が確立された後、ＮＷ４０から移動機１０宛のデータをＳＧＳＮ３０が受信する毎に実行される。
【００４５】
また、ＳＧＳＮ３０は、無線通信が切断されたと判断した後、ステップＳ３０７において、無線制御装置２０に対して無線通信を停止させる制御信号である「Ｉｕ  Ｒｅｌｅａｓｅ  Ｃｏｍｍａｎｄ」を送信する。そして、無線制御装置２０は、「Ｉｕ  Ｒｅｌｅａｓｅ  Ｃｏｍｍａｎｄ」を受信すると、ステップＳ３０８において、ＳＧＳＮ３０に対して無線通信の停止が完了したことを示す「Ｉｕ  Ｒｅｌｅａｓｅ  Ｃｏｍｐｌｅｔｅ」を送信する。
【００４６】
なお、無線制御装置２０によって移動機１０宛のデータの中継が停止（ステップＳ３０６）された後、ＳＩＰ制御装置によるＲＴＣＰ無通信監視処理等によってＮＷ４０に対して通信の停止要求がされ、ステップＳ３０９においてＮＷ４０は移動機１０宛のデータの送信を停止する。
【００４７】
これにより、図５に示すように、通信の種別としてＳＩＰを用いた通話通信が行われる場合、移動機１０が無線通信の切断によって通話通信を終了（ステップＳ３０３）した後で、ＳＧＳＮ３０が移動機１０との再接続を行って、通話データが移動機１０に送信されることがなくなる。なお、従来では、移動機１０は、無線通信の切断による通信終了後（ステップＳ３０３）はＳＩＰにおける呼情報などを削除しているため、無線通信の切断前に行われていた通信を通じて送信されたデータを受信しても、そのデータの内容等を把握することができず、当該データを破棄していた。本実施形態では、移動機１０によって破棄されてしまうデータをＳＧＳＮ３０がステップＳ３０６以降において送信することがないため、無線通信の無駄なリソースの消費を低減することができる。
【００４８】
（実施形態の作用・効果）
続いて、本実施形態にかかる通信システム１の作用及び効果について説明する。本実施形態の通信システム１によれば、ＳＧＳＮ３０が、切断検出部３４によって移動機１０との無線接続が切断されたことを検出した際に、受信部３２が移動機１０に対するデータを受信すると、中継可否判断部３５は、通信種別判断部３３によって判断された通信の種別によって当該データの中継を行うか否かを判断し、判断に応じてデータの中継を行う。これにより、ＳＩＰにおける通話通信のような通信の種別ではデータの中継が停止できるため、移動機１０に不要なデータが送信されることがなくなり、無線通信のリソースの消費を低減することが可能となる。特に、衛星電話など、移動機１０と無線制御装置２０との間を衛星を介して通信を行う場合には、無線区間のリソースが限られているため、本実施形態を適用することは非常に好適である。また、移動機１０側にも、不要なデータが送信されることがなくなるため、移動機１０の処理負担を低減させることができる。
【００４９】
また、データ中継装置が、受信部３２によって受信された移動機１０に対するデータも考慮して、当該データの中継を行うか否かを判断する。このため、例えば、ＳＩＰの制御データは中継を行い、音声等のデータは中継を行わない等、データに応じて適切に中継を行うことが可能となる。但し、受信部３２によって受信された移動機１０に対するデータを考慮せず、通信の種別に基づいた判断だけでデータの中継を停止してもよい。
【００５０】
なお、本発明は上記各実施形態に限定されるものではない。例えば、図５では、ＳＩＰを用いた場合を例に説明したが、他の通信の方式であっても本発明を適用することができる。
【００５１】
また、本実施形態では、通信網としてＧＰＲＳ網５０を例に説明したが、これに限定されることなく、無線区間において回線設定（回線の切断・回線の接続）が必要なシステム（例えば、ＬＴＥにおけるＥＰＳ）においても有効である。
【００５２】
また、通信の種別についても、上記の４種類に限定されるものではなく、どの種別の通信はデータの中継を行うかについても、上記に限定されるものではない。
【００５３】
また、本実施形態では、データの中継を行うか否かの判断をＳＧＳＮ３０の中継可否判断部３５において行うものとしたが、この判断を他の装置において行ってもよい。例えば、ＳＧＳＮ３０の上位に配置された、異なるネットワーク間を接続する関門交換機であるＧＧＳＮ（Ｇａｔｅｗａｙ  ＧＰＲＳ  Ｓｕｐｐｏｒｔ  Ｎｏｄｅ）において、データの中継を行うか否かの判断を行うことができる。ＧＧＳＮにおける判断結果は、ＳＧＳＮ３０に通知され、通信の停止の制御等を行う。
【符号の説明】
【００５４】
１０…移動機、３０…ＳＧＳＮ、３２…受信部、３３…通信種別判断部、３４…切断検出部、３５…中継可否判断部、５０…ＧＰＲＳ網。
【図１】
2011093499.tif 000003
【図２】
2011093499.tif 000004
【図３】
2011093499.tif 000005
【図４】
2011093499.tif 000006
【図５】
2011093499.tif 000007
【国際調査報告】
2011093499.tif 000008
2011093499.tif 000009